(57)【要約】【課題】本発明は、内燃機関の吸気漏れを検出するシステムにおいて、吸気の圧力変動に起因した検出精度の低下を抑制することを課題とする。【解決手段】本発明は、内燃機関の吸気通路に設けられた第１スロットル弁と、第１スロットル弁より下流の吸気通路に配置された第２スロットル弁と、第２スロットル弁より下流の圧力を取得する吸気圧センサと、第１スロットル弁を全閉に制御して該第１スロットル弁より下流を負圧にする負圧処理を行うとともに、前記負圧処理実行中に吸気圧センサが検出した吸気圧に基づいて吸気漏れを検出する検出手段と、を備えた内燃機関の吸気漏れ検出システムであって、検出手段は、負圧処理を実行するときに、第２スロットル弁の開度を全開未満且つ全閉より大きな所定開度に制御することにより吸気脈動を減衰させるようにした。【選択図】図３
2010242640.tif 000002
【特許請求の範囲】
【請求項１】
内燃機関の吸気通路に設けられたスロットル弁と、
前記スロットル弁より上流の吸気通路に設けられた機構であり、該機構より下流の圧力を調整する調整機構と、
前記調整機構より下流の圧力を取得する取得手段と、
前記調整機構より下流の圧力が大気圧より低くなるように前記調整機構を制御する負圧処理を行うとともに、前記負圧処理実行中に前記取得手段が取得した圧力に応じて吸気漏れを検出する検出手段と、を備え、
前記検出手段は、前記負圧処理を実行するときに、前記スロットル弁の開度を全開未満且つ全閉より大きな所定開度に制御することを特徴とする内燃機関の吸気漏れ検出システム。
【請求項２】
請求項１において、前記検出手段は、前記負圧処理を実行する前に前記スロットル弁を閉弁させて該スロットル弁より下流の圧力を大気圧未満に低下させ、続いて前記負圧処理を実行するとともに前記スロットル弁を前記所定開度に制御することを特徴とする内燃機関の吸気漏れ検出システム。
【請求項３】
請求項２において、前記検出手段は、前記スロットル弁を閉弁させたときに前記取得手段が取得した圧力に基づいて、前記負圧処理実行中に前記取得手段が取得した圧力を補正することを特徴とする内燃機関の吸気漏れ検出システム。
【請求項４】
請求項１乃至３の何れか一において、前記調整機構は、吸気通路の通路断面積を調整する流量調整弁であり、
前記負圧処理は、前記流量調整弁を閉弁させる処理であることを特徴とする内燃機関の吸気漏れ検出システム。
【請求項５】
請求項１乃至４の何れか一において、前記検出手段は、内燃機関がフューエルカット運転状態にあるときに、負圧処理を実行することを特徴とする内燃機関の吸気漏れ検出システム。
【発明の詳細な説明】
【技術分野】
【０００１】
本発明は、内燃機関の吸気系における吸気漏れを検出するシステムに関する。
【背景技術】
【０００２】
内燃機関の吸気系における吸気漏れを検出する方法として、スロットル弁の開度を絞ることによって発生する吸気管負圧を検出し、検出された吸気管負圧が判定基準値まで低下しなければ吸気漏れが発生していると判定する方法が知られている（例えば、特許文献１を参照）。
【先行技術文献】
【特許文献】
【０００３】
【特許文献１】特開平０６−１０８９２９号公報
【特許文献２】特開２００８−２６１２５７号公報
【発明の概要】
【発明が解決しようとする課題】
【０００４】
ところで、吸気脈動による圧力変動が大きい場合は、圧力センサの検出値が吸気漏れにより判定基準値を上回っているのか、又は吸気脈動により判定基準値を上回っているのか判別することが困難となる。
【０００５】
本発明は、上記したような種々の実情に鑑みてなされたものであり、その目的は、内燃機関の吸気漏れを検出するシステムにおいて、吸気の圧力変動に起因した検出精度の低下を抑制することにある。
【課題を解決するための手段】
【０００６】
本発明は、上記した課題を解決するために、以下のような手段を採用した。すなわち、本発明に係わる内燃機関の吸気漏れ検出システムは、
内燃機関の吸気通路に設けられたスロットル弁と、
前記スロットル弁より上流の吸気通路に設けられた機構であり、該機構より下流の圧力を調整する調整機構と、
前記スロットル弁より下流の圧力を取得する取得手段と、
前記調整機構より下流の圧力が大気圧より低くなるように前記調整機構を制御する負圧処理を行うとともに、前記負圧処理実行中に前記取得手段が取得した圧力に基づいて吸気漏れを検出する検出手段と、
を備え、
前記検出手段は、前記負圧処理を実行するときに、前記スロットル弁の開度を全開未満且つ全閉より大きな所定開度に制御するようにした。
【０００７】
本発明によると、吸気漏れを検出するとき、言い換えれば負圧処理が実行されるときに、スロットル弁の開度が所定開度まで絞られる。所定開度は、吸気脈動による圧力変動幅が可及的に小さくなる開度であり、且つスロットル弁下流の圧力がスロットル弁上流の圧力より低くなる開度である。このような所定開度は、予め実験的に求めておくことが望ましい。
【０００８】
スロットル弁の開度が所定開度まで絞られると、吸気脈動に伴う圧力波がスロットル弁に干渉して減衰される。そのため、調整機構より下流の吸気通路において圧力変動が可及的に小さくなる。
【０００９】
その結果、取得手段が取得する圧力の変動幅も小さくなる。よって、吸気漏れが発生していないときに取得手段が取得する圧力と吸気漏れが発生しているときに取得手段が取得する圧力との差が明確となり、微量の吸気漏れであっても検出することができる。
【００１０】
ところで、スロットル弁より上流の吸気通路には、過給機やブローバイガス通路などの吸気系部品が配置される場合がある。そのような場合にスロットル弁上流の吸気通路内が過度の負圧になると、吸気系部品から吸気通路へ潤滑油が吸い出される等の不具合を生じる可能性がある。
【００１１】
そこで、負圧処理実行時に吸気通路内の負圧度合を低く（圧力を高く）する方法も考えられる。しかしながら、吸気通路内の負圧度合が低くされると、吸気脈動による圧力変動が大きくなり、微量の吸気漏れを検出し難くなる可能性がある。
【００１２】
これに対し、本発明は、負圧処理の実行時にスロットル弁の開度を絞ることにより吸気脈動を減衰させるため、スロットル弁上流の圧力を過度に低下させることなく、微量の吸気漏れを検出可能である。よって、スロットル弁と調整機構との間の吸気通路に過給機やブローバイガス通路などの吸気系部品が配置されている場合であっても、それら吸気系部品から吸気通路へ潤滑油が吸い出される等の不具合を回避することも可能となる。
【００１３】
なお、本発明の検出手段は、負圧処理を実行する前にスロットル弁を閉弁させることにより該スロットル弁より下流の圧力を大気圧未満に低下させ、次いで負圧処理を実行するとともにスロットル弁を前記所定開度に制御するようにしてもよい。
【００１４】
このような手順によると、負圧処理の実行開始時点において、スロットル弁より下流の吸気通路内は既に負圧になっている。このため、調整機構は、スロットル弁と調整機構との間の吸気通路内のみを大気圧より低圧にすればよいことになる。その結果、負圧処理の実行期間が短縮される。負圧処理の実行期間が短縮されると、吸気系部品が負圧に曝される期間も短縮されるため、吸気系部品から吸気通路へ潤滑油が吸い出される等の不具合が一層発生し難くなる。
【００１５】
また、本発明に係わる検出手段は、スロットル弁を閉弁させたときに取得手段が取得した圧力に基づいて、負圧処理実行中に取得手段が取得した圧力を補正することもできる。
【００１６】
取得手段として圧力センサが用いられた場合等は、圧力センサの出力特性が温度などの環境によって変化する可能性がある。これに対し、スロットル弁が閉弁されたときに取得手段が取得した圧力に基づいて、負圧処理実行中に取得手段が取得した圧力が補正されると、圧力センサの検出値と実際の圧力との差が緩和され、吸気漏れの検出精度を一層高めることができる。
【００１７】
本発明に係わる検出手段は、スロットル弁が閉弁されたときに取得された圧力（以下、「第１圧力」と称する）と負圧処理実行中に取得された圧力（以下、「第２圧力」と称する）との差を判定基準値と比較して吸気漏れの発生の有無を判定してもよい。その場合は、第１圧力と第２圧力との双方に同等の誤差が含まれているため、上記した補正を行う必要がなくなる。なお、上記した判定基準値は、吸気漏れが発生していない状況下で取得された第１圧力と第２圧力との差と同等或いは若干高い値である。
【００１８】
本発明において、調整機構としては、吸気通路の通路断面積を調整する流量調整弁や、吸気通路内のガスを吸い出すポンプ機構などを例示することができる。調整機構として流量調整弁が用いられる場合は、流量調整弁を閉弁させる処理を負圧処理とすることができ
る。また、調整機構としてポンプ機構が用いられる場合は、ポンプを作動させる処理を負圧処理とすることができる。
【００１９】
なお、流量調整弁としては、低圧ＥＧＲ機構（排気系の触媒下流から吸気系の過給機上流へ排気を還流させる機構）の吸気絞り弁を利用することもできる。また、上記したポンプ機構としては、２次エア供給装置のポンプを利用することができる。さらに、吸気通路に配置された電動式の過給機を逆転させることにより、ポンプ機構として機能させることもできる。
【００２０】
本発明において、検出手段が負圧処理を実行する時期としては、内燃機関がフューエルカット運転状態にある時期を例示することができる。
【発明の効果】
【００２１】
本発明によれば、内燃機関の吸気漏れを検出するシステムにおいて、吸気の圧力変動に起因した検出精度の低下を抑制することができる。
【図面の簡単な説明】
【００２２】
【図１】本発明を適用する内燃機関の概略構成を示す図である。
【図２】負圧処理実行中の吸気圧の推移を示す図である。
【図３】第１の実施例における吸気漏れ検出処理ルーチンを示すフローチャートである。
【図４】第２の実施例における吸気漏れ検出処理ルーチンを示すフローチャートである。
【発明を実施するための形態】
【００２３】
以下、本発明の具体的な実施形態について図面に基づいて説明する。本実施形態に記載される構成部品の寸法、材質、形状、相対配置等は、特に記載がない限り発明の技術的範囲をそれらのみに限定する趣旨のものではない。
【００２４】
＜実施例１＞
先ず、本発明の第１の実施例について図１〜図３に基づいて説明する。図１は、本発明を適用する内燃機関の概略構成を示す図である。
【００２５】
図１に示す内燃機関１は、４つの気筒２を備えた圧縮着火式内燃機関（ディーゼルエンジン）である。内燃機関１の各気筒２には、各気筒２内へ直接燃料を噴射可能な燃料噴射弁３が取り付けられている。燃料噴射弁３は、コモンレール３０において昇圧された燃料を気筒２内へ直接噴射する。
【００２６】
各気筒２には、吸気通路４が連通している。吸気通路４の途中には、遠心過給機（ターボチャージャ）５のコンプレッサハウジング５０とインタークーラ６が配置されている。コンプレッサハウジング５０により過給された吸気は、インタークーラ６で冷却された後に各気筒２内へ導入される。各気筒２内へ導かれた吸気は、燃料噴射弁３から噴射された燃料とともに気筒２内で着火及び燃焼される。
【００２７】
また、各気筒２には、排気通路７が連通している。排気通路７の途中には、ターボチャージャ５のタービンハウジング５１が配置されている。タービンハウジング５１より下流の排気通路７には、吸蔵還元型ＮＯｘ触媒やパティキュレートフィルタなどを具備した排気浄化装置８が配置されている。各気筒２内で燃焼されたガス（既燃ガス）は、排気通路７へ排出される。排気通路７へ排出された排気は、タービンハウジング５１及び排気浄化装置８を経由して大気中へ排出される。
【００２８】
次に、内燃機関１は、低圧ＥＧＲ機構と高圧ＥＧＲ機構とを備えている。高圧ＥＧＲ機構は、タービンハウジング５１より上流の排気通路７からインタークーラ６より下流の吸気通路４へ排気の一部を導く高圧ＥＧＲ通路９、高圧ＥＧＲ通路９の流路断面積を変更する高圧ＥＧＲ弁１０、及び高圧ＥＧＲ通路９を流れる排気（高圧ＥＧＲガス）を冷却する高圧ＥＧＲクーラ１１を具備している。
【００２９】
高圧ＥＧＲ機構により再循環させられる高圧ＥＧＲガスの量は、吸気通路４のインタークーラ６より下流且つ高圧ＥＧＲ通路９の接続部より上流の部位に配置された第２スロットル弁１２の開度、および／または高圧ＥＧＲ弁１０の開度により調量される。なお、第２スロットル弁１２は、本発明に係わるスロットル弁に相当する。
【００３０】
低圧ＥＧＲ機構は、排気浄化装置８より下流の排気通路７からコンプレッサハウジング５０より上流の吸気通路へ排気の一部を導く低圧ＥＧＲ通路１３、低圧ＥＧＲ通路１３の流路断面積を変更する低圧ＥＧＲ弁１４、及び低圧ＥＧＲ通路１３を流れる排気（低圧ＥＧＲガス）を冷却する低圧ＥＧＲクーラ１５を具備している。
【００３１】
低圧ＥＧＲ機構により再循環させられる低圧ＥＧＲガスの量は、低圧ＥＧＲ通路１３の接続部より上流の吸気通路４に配置された第１スロットル弁１６の開度、および／または低圧ＥＧＲ弁１４の開度により調量される。なお、第１スロットル弁１６は、本発明に係わる流量調整弁（調整機構）の一実施態様である。
【００３２】
なお、第１スロットル弁１６とコンプレッサハウジング５０との間の吸気通路４には、ブローバイガス通路６０が接続されている。ブローバイガス通路６０は、内燃機関１から排出されたブローバイガスを吸気通路４へ導く通路である。
【００３３】
上記した燃料噴射弁３、高圧ＥＧＲ弁１０、第２スロットル弁１２、低圧ＥＧＲ弁１４、第１スロットル弁１６は、ＥＣＵ１７により電気的に制御される。ＥＣＵ１７は、ＣＰＵ、ＲＯＭ、ＲＡＭ等を備えた電子制御ユニットである。ＥＣＵ１７は、エアフローメータ１８、吸気圧センサ１９、水温センサ２０、クランクポジションセンサ２１、アクセルポジションセンサ２２等の各種センサと電気的に接続され、各種センサの出力信号がＥＣＵ１７へ入力されるようになっている。
【００３４】
前記エアフローメータ１８は、第１スロットル弁１６より上流の吸気通路４に配置され、吸気通路４を流れるガス量を測定する。吸気圧センサ１９は、第２スロットル弁１２より下流の吸気通路４（例えば、インテークマニフォルド）に配置され、吸気通路４内の圧力を測定するセンサであり、本発明にかかる取得手段に相当する。水温センサ２０は、内燃機関１を循環する冷却水の温度を測定する。クランクポジションセンサ２１は、内燃機関１のクランクシャフトの回転位置を測定する。アクセルポジションセンサ２２は、アクセルペダルの操作量（アクセル開度）を測定する。
【００３５】
ＥＣＵ１７は、上記した各種センサの測定値に基づいて燃料噴射弁３、高圧ＥＧＲ弁１０、第２スロットル弁１２、低圧ＥＧＲ弁１４、第１スロットル弁１６を制御する。
【００３６】
例えば、ＥＣＵ１７は、内燃機関１がフューエルカット運転状態にあるときに吸気系の吸気漏れ検出処理を実行する。吸気漏れ検出処理は、吸気通路４内を大気圧より低くしたときの吸気圧センサ１９の検出値に基づいて吸気漏れが発生しているか否かを判別する処理である。
【００３７】
なお、低圧ＥＧＲ機構を備えた内燃機関１においては、排気が吸気通路４（インターク
ーラ６やコンプレッサハウジング５０などの吸気系部品を含む）を循環するため、酸性の凝縮水が吸気系に溜まる場合がある。そのような場合は、吸気系部品が凝縮水によって腐食する可能性がある。吸気系部品の腐食が進行すると、腐食箇所から吸気が漏れる可能性もある。
【００３８】
そこで、本実施例における吸気漏れ検出処理は、第２スロットル弁１２下流の吸気通路４に加え、第２スロットル弁１２と第１スロットル弁１６との間の吸気通路４も検出対象として行われるようにした。
【００３９】
詳細には、ＥＣＵ１７は、内燃機関１がフューエルカット運転状態にあるときに、第１スロットル弁１６より下流の吸気通路４内を大気圧未満に低下させるための負圧処理を実行する。
【００４０】
負圧処理の実行方法としては、高圧ＥＧＲ弁１０及び低圧ＥＧＲ弁１４を全閉に制御するとともに、第１スロットル弁１６を全閉に制御する方法を例示することができる。なお、第１スロットル弁１６を全閉に制御するとは、第１スロットル弁１６を物理的な最小開度まで閉弁させる制御に加え、第１スロットル弁１６より下流の吸気通路４内が大気圧未満となる開度まで閉弁させる制御も含むものとする。
【００４１】
続いて、ＥＣＵ１７は、負圧処理実行中に吸気圧センサ１９が検出した吸気圧と判定基準値とを比較する。上記した判定基準値は、吸気漏れが発生していない状況下で負圧処理が実行されたときに吸気圧センサ１９が検出した値（正常値）と同等、又は正常値より若干高い値である。
【００４２】
吸気通路４に吸気漏れが発生していなければ、負圧処理実行中の吸気圧は判定基準値以下に低下する。一方、吸気通路４に吸気漏れが発生していれば、漏れ箇所から吸気通路４内へ空気が吸い込まれることになる。そのため、負圧処理実行中の吸気圧は判定基準値より高くなる。
【００４３】
従って、ＥＣＵ１７は、負圧処理実行中の吸気圧センサ１９の検出値が判定基準値より高ければ、第１スロットル弁１６より下流の吸気通路４に吸気漏れが発生していると判定することができる。
【００４４】
ところで、吸気脈動による吸気圧の変動幅が大きくなると、吸気圧センサ１９の検出値も大きく変動する。このため、吸気圧センサ１９の検出値が正常値と相違する場合に、その要因が吸気脈動にあるのか、又は吸気漏れにあるのか判別することが困難となる。
【００４５】
これに対し、判定基準値を吸気圧の変動幅を見込んだ値にする方法が考えられる。すなわち、吸気圧の変動幅以上の値を正常値に加算した数値を判定基準値とする方法が考えられる。この方法によると、誤検出を回避することはできるが、微量の吸気漏れを検出することができず、検出精度が低下するという問題がある。
【００４６】
そこで、本実施例の吸気漏れ検出処理では、ＥＣＵ１７は、負圧処理実行中に第２スロットル弁１２の開度を全開未満且つ全閉より大きな所定開度まで絞るようにした。所定開度は、吸気脈動に起因した圧力変動の振幅が可及的に小さくなる開度であって、第２スロットル弁１２下流の圧力が第２スロットル弁１２上流の圧力より低くなる開度である。このような所定開度は、予め実験的に求めておくものとする。
【００４７】
負圧処理実行中に第２スロットル弁１２の開度が所定開度まで絞られると、吸気脈動に伴う圧力波が第２スロットル弁１２と干渉して減衰される。そのため、第１スロットル弁
１６下流の吸気通路４において圧力変動の振幅が小さくなる。
【００４８】
図２は、第２スロットル弁１２が全開にされた状態で負圧処理が実行されたときの吸気圧（図２中の一点鎖線）と、第２スロットル弁１２が所定開度に絞られた状態で負圧処理が実行されたときの吸気圧（図２中の実線）とを計測した結果を示す図である。なお、吸気圧の計測は、吸気漏れが発生していない条件下で行った。
【００４９】
図２において、第２スロットル弁１２が全開にされた状態で負圧処理が実行されると、吸気圧の変動幅△Ｐ０が大きくなる。このため、変動幅△Ｐ０を見込んで判定基準値が決定されると、判定基準値と正常値との差が大きくなり、微量の吸気漏れを検出することができなくなる。
【００５０】
一方、第２スロットル弁１２が所定開度に絞られた状態で負圧処理が実行されると、吸気圧の変動幅△Ｐ１は前記した変動幅△Ｐ０に比して極めて小さくなる。このため、変動幅△Ｐ１を見込んで判定基準値が決定されても、判定基準値と正常値との差が小さくなり、微量の吸気漏れを検出することができる。
【００５１】
また、第１スロットル弁１６より下流の吸気通路４には、コンプレッサハウジング５０が配置されるとともに、ブローバイガス通路６０が接続されている。このため、第１スロットル弁１６より下流の吸気通路４が過度の負圧にされると、コンプレッサハウジング５０の軸受部やブローバイガス通路６０から吸気通路４内へ潤滑油が吸い込まれる等の不具合を生じる可能性がある。
【００５２】
これに対し、第２スロットル弁１２が所定開度に絞られた状態で負圧処理が行われれば、第１スロットル弁１６と第２スロットル弁１２との間の吸気通路４内を過度の負圧にすることなく吸気漏れを検出することができるため、上記した不具合を回避することもできる。
【００５３】
以下、本実施例における吸気漏れ検出処理の実行手順について図３に沿って説明する。図３は、本実施例における吸気漏れ検出処理ルーチンを示すフローチャートである。吸気漏れ検出処理ルーチンは、予めＥＣＵ１７のＲＯＭに記憶されており、ＥＣＵ１７によって周期的に実行される。
【００５４】
吸気漏れ検出処理ルーチンでは、ＥＣＵ１７は、先ずＳ１０１において内燃機関１の運転状態を取得する。具体的には、ＥＣＵ１７は、アクセルポジションセンサ２２の検出信号（アクセル開度）、機関回転数、車速等を読み込む。
【００５５】
Ｓ１０２では、ＥＣＵ１７は、Ｓ１０１で取得された運転状態がフューエルカット条件（Ｆ／Ｃ条件）を満たすか否かを判別する。例えば、ＥＣＵ１７は、アクセル開度が全閉である、機関回転数が一定回転数以上である、車速が一定速度以上である、などの条件が成立しているか否かを判別する。
【００５６】
前記Ｓ１０２において否定判定された場合は、ＥＣＵ１７は、吸気漏れ検出処理を実行せずに本ルーチンの実行を終了する。一方、前記Ｓ１０２において肯定判定された場合は、ＥＣＵ１７は、Ｓ１０３−Ｓ１０８において吸気漏れ検出処理を実行する。
【００５７】
先ずＳ１０３では、ＥＣＵ１７は、高圧ＥＧＲ弁１０及び低圧ＥＧＲ弁１４を全閉に制御する。続いて、ＥＣＵ１７は、Ｓ１０４において第２スロットル弁１２の開度を所定開度まで絞る。さらに、ＥＣＵ１７は、Ｓ１０５において第１スロットル弁１６を全閉に制御する。
【００５８】
なお、上記したＳ１０３−Ｓ１０５の処理が実行される順序は図３に記載された順序に限られず、同時に実行されるようにしてもよい。ただし、高圧ＥＧＲ弁１０及び低圧ＥＧＲ弁１４が全閉になる前に第１スロットル弁１６および／または第２スロットル弁１２の開度が小さくなると、吸気通路４内に流入するＥＧＲガスが増加する可能性があるため、高圧ＥＧＲ弁１０及び低圧ＥＧＲ弁１４を全閉に制御する処理（Ｓ１０３）が最先に実行されることが望ましい。
【００５９】
Ｓ１０６では、ＥＣＵ１７は、吸気圧センサ１９の検出信号（吸気圧）Ｐｉｍを読み込む。次いで、ＥＣＵ１７は、Ｓ１０７において、前記Ｓ１０６で読み込まれた吸気圧Ｐｉｍが判定基準値より高いか否かを判別する。
【００６０】
前記Ｓ１０７において否定判定された場合（Ｐｉｍ≦判定基準値）は、ＥＣＵ１７は、本ルーチンの実行を終了する。一方、前記Ｓ１０７において肯定判定された場合（Ｐｉｍ＞判定基準値）は、ＥＣＵ１７は、Ｓ１０８へ進み、吸気漏れが発生していると判定するとともに、車室内に設けられた警告灯や表示装置などの出力装置を介して運転者へ異常を報知する。
【００６１】
このようにＥＣＵ１７が図３の吸気漏れ検出処理ルーチンを実行することにより、本発明にかかる検出手段が実現される。
【００６２】
以上述べた実施例によると、吸気脈動に起因した吸気圧の変動が減衰された状態で負圧処理が行われるため、吸気漏れの有無が誤検出される事態や、微量の吸気漏れが検出されない事態等を回避することができる。その結果、吸気漏れの検出精度を高めることができる。
【００６３】
さらに、第２スロットル弁１２より上流の吸気通路４が過度の負圧に曝されないため、コンプレッサハウジング５０の軸受部やブローバイガス通路６０から吸気通路４へ潤滑油が吸い込まれる等の不具合も回避することができる。
【００６４】
＜実施例２＞
次に、本発明の第２の実施例について図４に基づいて説明する。ここでは、前述した第１の実施例と異なる構成について説明し、同様の構成については説明を省略する。
【００６５】
前述した第１の実施例と本実施例との差違は、負圧処理が開始される前に第２スロットル弁１２より下流の吸気通路４内を負圧にする予備負圧処理が行われる点にある。予備負圧処理は、高圧ＥＧＲ弁１０及び低圧ＥＧＲ弁１４を全閉に制御した上で、第１スロットル弁１６を全開に制御するとともに第２スロットル弁１２を全閉に制御する処理である。
【００６６】
なお、第１スロットル弁１６を全開に制御するとは、第１スロットル弁１６の開度を物理的な最大開度まで開弁させる制御のみならず、第１スロットル弁１６の前後差圧が略零となる開度まで開弁させる制御も含むものとする。また、第２スロットル弁１２を全閉に制御するとは、第２スロットル弁１２の開度を物理的な最小開度まで閉弁させる制御のみならず、第２スロットル弁１２より下流の吸気通路４内が大気圧未満となる開度まで閉弁させる制御も含むものとする。
【００６７】
このような予備負圧処理が実行されると、第２スロットル弁１２より上流の吸気通路４内が大気圧又は正圧に保たれた状態で、第２スロットル弁１２より下流の吸気通路４内が負圧になる。その後の負圧処理では、ＥＣＵ１７は、先ず第１スロットル弁１６を全閉に制御し、次いで第２スロットル弁１２を所定開度に制御すればよい。
【００６８】
予備負圧処理が実行された後の負圧処理では、第１スロットル弁１６と第２スロットル弁１２との間の吸気通路４内のみを負圧にすればよいことになる。その結果、予備負圧処理を行わずに負圧処理を実行する場合（第１スロットル弁１６より下流の吸気通路４内を一気に負圧にする場合）に比べ、負圧処理の実行時間を短くすることができる。これは、第１スロットル弁１６と第２スロットル弁１２との間の吸気通路４内が負圧に曝される期間の短縮を意味する。
【００６９】
従って、負圧処理の実行前に予備負圧処理が実行されると、コンプレッサハウジング５０の軸受部やブローバイガス通路６０から吸気通路４へ潤滑油が吸い込まれる等の不具合をより確実に回避することが可能となる。
【００７０】
以下、本実施例における吸気漏れ検出処理の実行手順について図４に沿って説明する。図４は、本実施例における吸気漏れ検出処理ルーチンを示すフローチャートである。なお、図４において、前述した図３の吸気漏れ検出処理ルーチンと同様の処理には同一の符号が付されている。
【００７１】
図４の吸気漏れ検出処理ルーチンと図３の吸気漏れ検出処理ルーチンとの差違は、Ｓ1
０３の後にＳ２０１−Ｓ２０４の予備負圧処理が挿入された点、並びにＳ１０４とＳ１０５の順序が逆転している点にある。
【００７２】
ＥＣＵ１７は、Ｓ１０３において高圧ＥＧＲ弁１０及び低圧ＥＧＲ弁１４を全閉に制御した後にＳ２０１へ進み、第１スロットル弁１６を全開に制御する。続いて、ＥＣＵ１７は、Ｓ２０２において第２スロットル弁１２を全閉に制御することにより、第２スロットル弁１２より下流の吸気通路４内を負圧にする。
【００７３】
Ｓ２０３では、ＥＣＵ１７は、吸気圧センサ１９の検出信号（吸気圧）Ｐｉｍを読み込む。次いで、ＥＣＵ１７は、前記Ｓ２０３で読み込まれた吸気圧Ｐｉｍが大気圧より低い負圧であるか否かを判別する。すなわち、ＥＣＵ１７は、第２スロットル弁１２より下流の吸気通路４内が負圧になったか否かを判別する。なお、ＥＣＵ１７は、Ｓ２０４において、吸気圧Ｐｉｍが大気圧に対して所定値以上低いか否か判別してもよい。これは、第２スロットル弁１２より下流の吸気通路４内が大気圧に近い負圧下で負圧処理が開始されると、負圧処理の実行時間が長くなるためである。
【００７４】
前記Ｓ２０４で否定判定された場合は、ＥＣＵ１７は、Ｓ２０３へ戻る。一方、前記Ｓ２０４で肯定判定された場合は、ＥＣＵ１７は、負圧処理を実行する。その際、第１スロットル弁１６が全閉に制御される前に第２スロットル弁１２が所定開度に制御されると、予備負圧処理で発生させた負圧が緩和されてしまう可能性がある。よって、ＥＣＵ１７は、Ｓ２０４の実行後に先ずＳ１０５の処理を実行し、次いでＳ１０４の処理を実行するようにした。
【００７５】
このような手順により吸気漏れ検出処理が実行されると、前述した第１の実施例と同様の効果が得られる上、負圧処理の実行期間を短縮することができるという効果を得ることも可能となる。その結果、コンプレッサハウジング５０の軸受部やブローバイガス通路６０から吸気通路４へ潤滑油が吸い出される事態をより確実に回避しつつ、吸気漏れの検出精度を高めることが可能となる。
【００７６】
なお、ＥＣＵ１７は、予備負圧処理の実行時に吸気圧センサ１９の検出誤差を補正するようにしてもよい。吸気圧センサ１９の出力特性は、温度等の環境によって変化する場合がある。
【００７７】
そこで、予備負圧処理実行時に吸気圧センサ１９が検出した吸気圧（第１吸気圧）Ｐｉｍ１と予め求められた基準圧力との差を求め、その差によって負圧処理実行時に吸気圧センサ１９が検出した吸気圧（第２吸気圧）Ｐｉｍ２又は判定基準値が補正されるようにしてもよい。なお、基準圧力は、吸気圧センサ１９の検出値が実際の吸気圧と一致する環境下において、予備負圧処理が実行された際に吸気圧センサ１９が検出した値であり、予め実験的に求められている。
【００７８】
また、ＥＣＵ１７は、第１吸気圧Ｐｉｍ１と第２吸気圧Ｐｉｍ２との差（＝Ｐｉｍ２−Ｐｉｍ１）を判定基準値と比較して吸気漏れが発生しているか否かを判別するようにしてもよい。その場合の判定基準値は、吸気漏れが発生していない状況下で求められた第１吸気圧Ｐｉｍ１と第２吸気圧Ｐｉｍ２との差と同等、或いは若干大きな値である。
【００７９】
このような方法により吸気漏れ検出処理が行われると、第１吸気圧Ｐｉｍ１と第２吸気圧Ｐｉｍ２との双方に同等の誤差が含まれているため、上記した補正を行うことなく検出精度の向上を図ることができる。
【００８０】
前述した第１、第２の実施例では、本発明にかかる調整機構として、第１スロットル弁１６を例示したが、第２スロットル弁１２より上流の吸気通路４からガスを吸い出すポンプ機構を用いてもよい。このようなポンプ機構としては、２次エア供給装置のポンプを利用してもよく、或いは吸気通路４に配置された電動式の過給機を逆転させることによりポンプ機構として機能させることもできる。
【符号の説明】
【００８１】
１     内燃機関
２     気筒
３     燃料噴射弁
４     吸気通路
５     ターボチャージャ
６     インタークーラ
７     排気通路
８     排気浄化装置
９     高圧ＥＧＲ通路
１０   高圧ＥＧＲ弁
１２   第２スロットル弁
１３   低圧ＥＧＲ通路
１４   低圧ＥＧＲ弁
１６   第１スロットル弁
１９   吸気圧センサ
２１   クランクポジションセンサ
２２   アクセルポジションセンサ
５０   コンプレッサハウジング
５１   タービンハウジング
６０   ブローバイガス通路
【図１】
2010242640.tif 000003
【図２】
2010242640.tif 000004
【図３】
2010242640.tif 000005
【図４】
2010242640.tif 000006